(57)【特許請求の範囲】
【請求項１】
各々液晶表示装置のバックライトとして用いられるｎ（ｎは２以上の自然数）系統のＬＥＤに接続されるスイッチング電源装置であって、
スイッチング手段のオン／オフ期間の比率を可変して外部から供給された入力電圧を変圧して出力電圧を生成し、該出力電圧を出力端から出力するＤＣ−ＤＣコンバータと、
帰還電流入力端から入力される帰還電流が定電流になるように、前記帰還電流に基づいて作成したパルス信号によって前記スイッチング手段のオン／オフ期間の比率を制御する制御手段と、
外部制御信号に応じて前記ｎ系統のＬＥＤの中から電力を供給するＬＥＤを選択し、前記電力を供給するＬＥＤが一系統である場合は前記外部制御信号に応じて選択された一系統のＬＥＤのアノード側が前記出力端に接続され、前記外部制御信号に応じて選択された一系統のＬＥＤのカソード側が前記帰還電流入力端に接続されるように前記ｎ系統のＬＥＤに対する接続状態を切り替え、前記電力を供給するＬＥＤが複数系統である場合は外部制御信号に応じて選択された複数系統のＬＥＤを直列接続し、前記外部制御信号に応じて選択された複数系統のＬＥＤから成る直列接続体のアノード側が前記出力端に接続され、前記外部制御信号に応じて選択された複数系統のＬＥＤから成る直列接続体のカソード側が前記帰還電流入力端に接続されるように、前記ｎ系統のＬＥＤに対する接続状態を切り替える切替手段と、
を備え、
前記ｎ系統のＬＥＤの各系統全てが、前記電力を供給するＬＥＤが一系統である場合の選択対象であることを特徴とするスイッチング電源装置。
【請求項２】
前記制御手段が前記帰還電流の定電流値の設定を調整する定電流調整手段を備え、
前記スイッチング手段と、前記切替手段と、前記制御手段のうち前記定電流調整手段以外の部分とが半導体集積回路装置に設けられる請求項１に記載のスイッチング電源装置。
【請求項３】
前記ＤＣ−ＤＣコンバータの出力電圧を検出し、前記ＤＣ−ＤＣコンバータの出力電圧が所定値以上のときは前記スイッチング手段のオン／オフ動作を停止させる電圧検出手段が前記半導体集積回路装置に設けられる請求項２に記載のスイッチング電源装置。
【請求項４】
前記制御手段が、前記切替手段の選択状態を検出し、前記切替手段が前記外部制御信号に応じて前記ｎ系統のＬＥＤの中から電力を供給するＬＥＤを一つも選択しないときは前記スイッチング手段のオン／オフ動作を停止させる請求項１〜３のいずれかに記載のスイッチング電源装置。
【請求項５】
前記制御手段が、前記外部制御信号に応じて前記スイッチング手段のオン／オフ動作を停止させる請求項４に記載のスイッチング電源装置。
【請求項６】
ｎが２であって、
前記切替手段が、
第１液晶表示装置のバックライトとして用いられるＬＥＤのアノード側に接続される端子と前記第１液晶表示装置のバックライトとして用いられるＬＥＤのカソード側及び第２液晶表示装置のバックライトとして用いられるＬＥＤのアノード側に接続される端子とのいずれか一方と前記出力端とを前記外部制御信号に応じて接続する第１スイッチと、
前記第２液晶表示装置のバックライトとして用いられるＬＥＤのカソード側に接続される端子と前記第１液晶表示装置のバックライトとして用いられるＬＥＤのカソード側及び前記第２液晶表示装置のバックライトとして用いられるＬＥＤのアノード側に接続される端子とのいずれか一方と前記帰還電流入力端とを前記外部制御信号に応じて接続する第２スイッチと、
を備える請求項１〜５のいずれかに記載のスイッチング電源装置。
【請求項７】
ｎ（ｎは2以上の自然数）個の液晶表示装置と、
前記液晶表示装置のバックライトとして用いられるｎ（ｎは２以上の自然数）系統のＬＥＤに接続される請求項１〜６のいずれかに記載のスイッチング電源装置と、
を備えることを特徴とする電気機器。
【請求項８】
携帯電話装置である請求項７に記載の電気機器。
【発明の詳細な説明】
【０００１】
【発明の属する技術分野】
本発明は、液晶表示装置のバックライトとして用いられるＬＥＤ（Light Emitting Diode）に電力を供給するスイッチング電源装置及びこれを用いた電気機器に関するものである。
【０００２】
【従来の技術】
液晶表示装置のバックライトとして用いられるＬＥＤ（以下、液晶バックライト用ＬＥＤという）に電力を供給する従来のスイッチング電源装置について説明する。従来のスイッチング電源装置の構成を図６に示す。
【０００３】
コイル１の一端に電源電圧ＶCCが印加される。コイル１の他端がショットキーダイオード２のアノードとＮＰＮ形トランジスタ３のコレクタに接続される。トランジスタ３のエミッタは接地される。ショットキーダイオード２のカソードがコンデンサ４の一端と、ツェナーダイオード５のカソードと、液晶バックライト用ＬＥＤ６のアノード側とに接続される。また、コンデンサ４の他端とツェナーダイオード５のアノードは接地される。
【０００４】
液晶バックライト用ＬＥＤ６のカソード側がスイッチ７の一端に接続される。スイッチ７の他端が抵抗８の一端と誤差増幅器９の正相入力側とに接続される。抵抗８の他端は接地される。また、可変抵抗１０の一端が誤差増幅器９の逆相入力側に接続される。可変抵抗１０の他端は接地される。
【０００５】
誤差増幅器９の出力側と逆相入力側とは抵抗１１を介して接続される。誤差増幅器９の出力側が制御回路１２’に接続される。制御回路１２’はトランジスタ３のベースに接続される。さらに、イネーブル信号ＥＮがスイッチ７と制御回路１２’に入力される。
【０００６】
なお、トランジスタ３と、スイッチ７、抵抗８と、誤差増幅器９と、抵抗１１と、制御回路１２’とが、半導体集積回路装置１０２に設けられる。そして、半導体集積回路装置１０２と、コイル１と、ショットキーダイオード２と、コンデンサ４と、ツェナーダイオード５と、可変抵抗１０とによって、従来のスイッチング電源装置２０２が構成される。
【０００７】
続いて上記構成である従来のスイッチング電源装置２０２の動作について説明する。トランジスタ３がオン状態のときは、コイル１にエネルギーが蓄えられる。一方、トランジスタ３がオフ状態のときは、コイル１にエネルギーが蓄えられ、かつ液晶バックライト用ＬＥＤ６にエネルギーが供給される。このような動作により、電源電圧ＶCCが昇圧されて液晶バックライト用ＬＥＤ６に供給される。
【０００８】
ショットキーダイオード２はＤＣ−ＤＣコンバータ２０２から液晶バックライト用ＬＥＤ６に向かって出力される電流が逆流することを防止している。また、コンデンサ４は出力電圧の平滑化を行っている。さらに、ツェナーダイオード５は、液晶バックライト用ＬＥＤ６の実装不良などの原因でスイッチ７が閉成状態であっても半導体集積回路装置１０２に液晶バックライト用ＬＥＤ６の電流が入力されない場合に起こる異常電圧上昇状態からＤＣ−ＤＣコンバータ２０２を保護するために設けられている。
【０００９】
スイッチ７が閉成状態であれば、液晶バックライト用ＬＥＤ６からの帰還電流Ｉによる抵抗８の電圧降下分の電圧が誤差増幅器９の正相入力に入力される。ここで、誤差増幅器９から出力される電圧ＶOは（１）式のように表される。ただし、抵抗８の抵抗値をＲ8、可変抵抗１０の抵抗値をＲ10、抵抗１１の抵抗値をＲ11とする。
ＶO＝（１＋Ｒ11／Ｒ10）×Ｒ8×Ｉ…（１）
【００１０】
制御回路１２’は、高周波（例えば１００ｋＨｚ）の三角波を発振する発振回路（図示せず）を内蔵している。制御回路１２’は、三角波と電圧ＶOとを比較し、三角波の方が電圧ＶOよりも大きければＨｉｇｈレベルの信号を出力し、三角波の方が電圧ＶOよりも大きくなければＬｏｗレベルの信号を出力する。これにより、制御回路１２’は、電圧ＶOに応じたパルス信号を出力することができ、そのパルス信号によってトランジスタ３をオン／オフ制御する。したがって、従来のスイッチング電源装置２０２は帰還電流Ｉを定電流にするフィードバック制御を行っている。帰還電流Ｉの設定値は、可変抵抗１０の抵抗値Ｒ10によって調整することができる。
【００１１】
なお、液晶バックライト用ＬＥＤ６は複数のＬＥＤを直列接続した構成である。このため、従来のスイッチング電源装置２０２が液晶バックライト用ＬＥＤ６に定電流を流すことで、液晶バックライト用ＬＥＤ６を構成する各ＬＥＤに同一の電流が流れ、ＬＥＤ毎の輝度むらが少なくなる。また、上述したように帰還電流Ｉの設定値は可変抵抗１０の抵抗値Ｒ10によって調整することができるので、液晶バックライト用ＬＥＤ６を所望の輝度に設定することができる。
【００１２】
【発明が解決しようとする課題】
２つの液晶表示装置を備える電気機器に従来のスイッチング電源装置２０２を用いる場合、２つの液晶表示装置をそれぞれ独立してオン／オフ制御できるようにするには従来のスイッチング電源装置２０２を２個用いなければならない。これは、回路規模やコストの面で大きな問題となる。
【００１３】
このため、２つの液晶表示装置を備える電気機器には図７に示す構成のスイッチング電源装置が用いられることがあった。ここで、図７に示す従来のスイッチング電源装置の構成について説明する。なお、図７において図６と同一の部分には同一の符号を付し詳細な説明を省略する。
【００１４】
図７のスイッチング電源装置２０３は、図６のスイッチング電源装置２０２にｎチャネル型ＭＯＳＦＥＴ（Metal Oxide Semiconductor Field Effect Transistor）１３と、ｎチャネル型ＭＯＳＦＥＴ１４と、ＮＯＴ回路１５とを新たに付加した構成である。液晶バックライト用ＬＥＤ６と液晶バックライト用ＬＥＤ６’が、スイッチング電源装置２０3に並列接続される。液晶バックライト用ＬＥＤ６のアノード側と液晶バックライト用ＬＥＤ６’のアノード側がショットキーダイオード２のカソードに接続される。また、液晶バックライト用ＬＥＤ６のカソード側がＭＯＳＦＥＴ１３を介してスイッチ７の一端に接続され、液晶バックライト用ＬＥＤ６’のカソード側がＭＯＳＦＥＴ１４を介してスイッチ７の一端に接続される。そして、選択信号ＳＥＬが、ＭＯＳＦＥＴ１４のゲートに入力されるともに、ＮＯＴ回路１５を介してＭＯＳＦＥＴ１３のゲートに入力される。
【００１５】
このような構成のスイッチング電源装置２０３は、選択信号ＳＥＬに応じて液晶バックライト用ＬＥＤ６と液晶バックライト用ＬＥＤ６’とをオン／オフ制御する。選択信号ＳＥＬがＨｉｇｈレベルのとき、スイッチング電源装置２０３は液晶バックライト用ＬＥＤ６’をオンにし、液晶バックライト用ＬＥＤ６をオフにする。一方、選択信号ＳＥＬがＬｏｗレベルのとき、スイッチング電源装置２０３は液晶バックライト用ＬＥＤ６をオンにし、液晶バックライト用ＬＥＤ６’をオフにする。このように、スイッチング電源装置２０３は２つの液晶バックライト用ＬＥＤをそれぞれ独立してオン／オフ制御することができる。
【００１６】
しかしながら、スイッチング電源装置２０３は、２つの液晶バックライト用ＬＥＤを同時にオンすると２つの液晶バックライト用ＬＥＤを同じ電流値で定電流制御ができないという問題点があった。スイッチング電源装置２０３は液晶バックライト用ＬＥＤの帰還電流による定電流制御を行っている。ところが、スイッチング電源装置２０３は液晶バックライト用ＬＥＤ６と液晶バックライト用ＬＥＤ６’を並列接続しているため、液晶バックライト用ＬＥＤ６と液晶バックライト用ＬＥＤ６’とを両方同時にオンにした場合液晶バックライト用ＬＥＤ６を流れる電流と液晶バックライト用ＬＥＤ６’を流れる電流が等しくならなかった。
【００１７】
本発明は、上記の問題点に鑑み、複数系統の液晶バックライト用ＬＥＤから選択された一部又は全部のＬＥＤのみを同じ電流値で定電流制御してオンすることができるスイッチング電源装置及びこれを用いた電気機器を提供することを目的とする。
【００１８】
【課題を解決するための手段】
上記目的を達成するために、本発明に係るスイッチング電源装置においては、各々液晶表示装置のバックライトとして用いられるｎ（ｎは２以上の自然数）系統のＬＥＤに接続され、スイッチング手段のオン／オフ期間の比率を可変して外部から供給された入力電圧を変圧して出力電圧を生成し、該出力電圧を出力端から出力するＤＣ−ＤＣコンバータと、帰還電流入力端から入力される帰還電流が定電流になるように、前記帰還電流に基づいて作成したパルス信号によって前記スイッチング手段のオン／オフ期間の比率を制御する制御手段と、外部制御信号に応じて前記ｎ系統のＬＥＤの中から電力を供給するＬＥＤを選択し、前記電力を供給するＬＥＤが一系統である場合は前記外部制御信号に応じて選択された一系統のＬＥＤのアノード側が前記出力端に接続され、前記外部制御信号に応じて選択された一系統のＬＥＤのカソード側が前記帰還電流入力端に接続されるように前記ｎ系統のＬＥＤに対する接続状態を切り替え、前記電力を供給するＬＥＤが複数系統である場合は前記外部制御信号に応じて選択された複数系統のＬＥＤを直列接続し、前記外部制御信号に応じて選択された複数系統のＬＥＤから成る直列接続体のアノード側が前記出力端に接続され、前記外部制御信号に応じて選択された複数系統のＬＥＤから成る直列接続体のカソード側が前記帰還電流入力端に接続されるように、前記ｎ系統のＬＥＤに対する接続状態を切り替える切替手段と、を備え、前記ｎ系統のＬＥＤの各系統全てが、前記電力を供給するＬＥＤが一系統である場合の選択対象である構成とする。
【００１９】
また、前記制御手段が前記帰還電流の定電流値の設定を調整する定電流調整手段を備え、前記スイッチング手段と、前記切替手段と、前記制御手段のうち前記定電流調整手段以外の部分とを半導体集積回路装置に設けてもよい。
【００２０】
また、前記ＤＣ−ＤＣコンバータの出力電圧を検出し、前記ＤＣ−ＤＣコンバータの出力電圧が所定値以上のときは前記スイッチング手段のオン／オフ動作を停止させる電圧検出手段を前記半導体集積回路装置に設けてもよい。
【００２１】
また、前記制御手段が、前記切替手段の選択状態を検出し、前記切替手段が前記外部制御信号に応じて前記ｎ系統のＬＥＤの中から電力を供給するＬＥＤを一つも選択しないときは前記スイッチング手段のオン／オフ動作を停止させるようにしてもよい。
【００２２】
前記制御手段が、前記外部制御信号に応じて前記スイッチング手段のオン／オフ動作を停止させるようにしてもよい。
【００２３】
また、ｎが２であって、前記切替手段が、第１液晶表示装置のバックライトとして用いられるＬＥＤのアノード側に接続される端子と前記第１液晶表示装置のバックライトとして用いられるＬＥＤのカソード側及び第２液晶表示装置のバックライトとして用いられるＬＥＤのアノード側に接続される端子とのいずれか一方と前記出力端とを前記外部制御信号に応じて接続する第１スイッチと、前記第２液晶表示装置のバックライトとして用いられるＬＥＤのカソード側に接続される端子と前記第１液晶表示装置のバックライトとして用いられるＬＥＤのカソード側及び前記第２液晶表示装置のバックライトとして用いられるＬＥＤのアノード側に接続される端子とのいずれか一方と前記帰還電流入力端とを前記外部制御信号に応じて接続する第２スイッチと、を備えるようにしてもよい。
【００２４】
また、上記目的を達成するために、本発明に係る電気機器においては、ｎ（ｎは２以上の自然数）個の液晶表示装置と、前記液晶表示装置のバックライトとして用いられるｎ（ｎは２以上の自然数）系統のＬＥＤに接続される上記いずれかの構成のスイッチング電源装置と、を備える構成とする。なお、本発明に係る電気機器としては例えば携帯電話装置が挙げられる。
【００２５】
【発明の実施の形態】
以下に本発明の一実施形態について図面を参照して説明する。本発明に係るスイッチング電源装置の構成を図１に示す。なお、図１において図６と同一の部分には同一の符号を付し詳細な説明を省略する。
【００２６】
コイル１の一端に電源電圧ＶCCが印加される。コイル１の他端がショットキーダイオード２のアノードとＮＰＮ形トランジスタ３のコレクタに接続される。トランジスタ３のエミッタは接地される。ショットキーダイオード２のカソードがコンデンサ４の一端と、電圧検出回路１６の入力側と、スイッチ１７の一端とに接続される。また、コンデンサ４の他端は接地され、電圧検出回路１６の出力側は制御回路１２に接続される。なお、制御回路１２は、電圧検出回路１６の出力信号があったときにトランジスタ３のオン／オフ制御を停止する以外は、図６に示した従来のスイッチング電源装置２０２が備える制御回路１２’と同様の動作をする回路である。
【００２７】
スイッチ１７の他端が、スイッチ１８のＡ端に接続される。スイッチ１８のＨ端が液晶バックライト用ＬＥＤ６のアノード側に接続される。スイッチ１８のＬ端とスイッチ１９のＬ端とが液晶バックライト用ＬＥＤ６のカソード側及び液晶バックライト用ＬＥＤ６’のアノード側に接続される。スイッチ１９のＨ端が液晶バックライト用ＬＥＤ６’のカソード側に接続される。
【００２８】
スイッチ１９のＡ端が抵抗８の一端と誤差増幅器９の正相入力側とに接続される。抵抗８の他端は接地される。また、可変抵抗１０の一端が誤差増幅器９の逆相入力側に接続される。可変抵抗１０の他端は接地される。
【００２９】
誤差増幅器９の出力側と逆相入力側とは抵抗１１を介して接続される。誤差増幅器９の出力側が制御回路１２に接続される。制御回路１２はトランジスタ３のベースに接続される。そして、ＯＲ回路２０の出力信号が、制御回路１２とスイッチ１７に送出される。
【００３０】
さらに、第１イネーブル信号ＥＮ１がＯＲ回路２０とスイッチ１８に入力され、第２イネーブル信号ＥＮ２がＯＲ回路２０とスイッチ１９に入力される。スイッチ１８は、イネーブル信号ＥＮ１がＨｉｇｈレベルのときにＡ端とＨ端とを接続し、イネーブル信号ＥＮ１がＬｏｗレベルのときにＡ端とＬ端とを接続する。また、スイッチ１９は、イネーブル信号ＥＮ２がＨｉｇｈレベルのときにＡ端とＨ端とを接続し、イネーブル信号ＥＮ２がＬｏｗレベルのときにＡ端とＬ端とを接続する。
【００３１】
トランジスタ３と、抵抗８と、誤差増幅器９と、抵抗１１と、制御回路１２と、電圧検出回路１６と、スイッチ１７〜１９と、ＯＲ回路２０とが、半導体集積回路装置１００に設けられる。そして、半導体集積回路装置１００と、コイル１、ショットキーダイオード２と、コンデンサ４と、可変抵抗１０とによって、本発明に係るスイッチング電源装置２００が構成される。
【００３２】
続いて、スイッチング電源装置２００の動作について、図６に示した従来のスイッチング電源装置２０２と異なる点を中心に説明する。
【００３３】
まず、イネーブル信号ＥＮ１、ＥＮ２がともにＨｉｇｈレベルのときの動作について説明する。イネーブル信号ＥＮ１がＨｉｇｈレベルであるので、スイッチ１８のＡ端とＨ端とが接続される。また、イネーブル信号ＥＮ２がＨｉｇｈレベルであるので、スイッチ１９のＡ端とＨ端とが接続される。したがって、スイッチ１７がスイッチ１８を介して液晶バックライト用ＬＥＤ６のアノード側に接続され、液晶バックライト用ＬＥＤ６のカソード側が液晶バックライト用ＬＥＤ６’のアノード側に接続され、液晶バックライト用ＬＥＤ６’のカソード側がスイッチ１９を介して抵抗Ｒ８の一端と誤差増幅器９の正相入力側に接続される。すなわち、液晶バックライト用ＬＥＤ６と液晶バックライト用ＬＥＤ６’がスイッチング電源装置２００に直列接続されることになる。これにより、液晶バックライト用ＬＥＤ６と液晶バックライト用ＬＥＤ６’の両方に同一の定電流が流れて、液晶バックライト用ＬＥＤ６と液晶バックライト用ＬＥＤ６’の両方がオン状態になる。
【００３４】
続いて、イネーブル信号ＥＮ１がＨｉｇｈレベル、イネーブル信号ＥＮ２がＬｏｗレベルのときの動作について説明する。イネーブル信号ＥＮ１がＨｉｇｈレベルであるので、スイッチ１８のＡ端とＨ端とが接続される。また、イネーブル信号ＥＮ２がＬｏｗレベルであるので、スイッチ１９のＡ端とＬ端とが接続される。したがって、スイッチ１７がスイッチ１８を介して液晶バックライト用ＬＥＤ６のアノード側に接続され、液晶バックライト用ＬＥＤ６のカソード側がスイッチ１９を介して抵抗Ｒ８の一端と誤差増幅器９の正相入力側に接続される。すなわち、液晶バックライト用ＬＥＤ６のみにスイッチング電源装置２００から定電流が供給されることになる。これにより、液晶バックライト用ＬＥＤ６がオン状態になり、液晶バックライト用ＬＥＤ６’がオフ状態になる。
【００３５】
続いて、イネーブル信号ＥＮ１がＬｏｗレベル、イネーブル信号ＥＮ２がＨｉｇｈレベルのときの動作について説明する。イネーブル信号ＥＮ１がＬｏｗレベルであるので、スイッチ１８のＡ端とＬ端とが接続される。また、イネーブル信号ＥＮ２がＨｉｇｈレベルであるので、スイッチ１９のＡ端とＨ端とが接続される。したがって、スイッチ１７がスイッチ１８を介して液晶バックライト用ＬＥＤ６’のアノード側に接続され、液晶バックライト用ＬＥＤ６’のカソード側がスイッチ１９を介して抵抗Ｒ８の一端と誤差増幅器９の正相入力側に接続される。すなわち、液晶バックライト用ＬＥＤ６’のみにスイッチング電源装置２００から定電流が供給されることになる。これにより、液晶バックライト用ＬＥＤ６がオフ状態になり、液晶バックライト用ＬＥＤ６’がオン状態になる。
【００３６】
最後に、イネーブル信号ＥＮ１、ＥＮ２がともにＬｏｗレベルのときの動作について説明する。イネーブル信号ＥＮ１がＬｏｗレベルであるので、スイッチ１８のＡ端とＬ端とが接続される。また、イネーブル信号ＥＮ２がＬｏｗレベルであるので、スイッチ１９のＡ端とＬ端とが接続される。したがって、スイッチ１７がスイッチ１８及びスイッチ１９を介して抵抗Ｒ８の一端と誤差増幅器９の正相入力側に接続される。すなわち、液晶バックライト用ＬＥＤ６及び液晶バックライト用６’にスイッチング電源装置２００から定電流が供給されない。これにより、液晶バックライト用ＬＥＤ６と液晶バックライト用ＬＥＤ６’の両方がオフ状態になる。
【００３７】
スイッチング電源装置２００は上述したような動作を行うので、イネーブル信号ＥＮ１、ＥＮ２によってオンにする液晶バックライト用ＬＥＤが決定される。
【００３８】
そして、イネーブル信号ＥＮ１、ＥＮ２がともにＬｏｗレベルのときはＯＲ回路２０の出力信号がＬｏｗレベルになる。ＯＲ回路２０の出力信号がＬｏｗレベルになると、制御回路１２はスイッチング制御を停止し、スイッチ１７は開成状態になる。これにより、コイル１、ショットキーダイオード２、スイッ１７、スイッチ１８、スイッチ１９、抵抗８を通って流れる無効電流をなくすことができる。
【００３９】
上述したように、イネーブル信号ＥＮ１、ＥＮ２は、オンにする液晶バックライト用ＬＥＤを選択する信号であるとともに制御回路１２のスイッチング制御を停止／非停止すなわちスイッチング電源装置の有効／無効を切り替える信号でもある。このように、イネーブル信号ＥＮ１、ＥＮ２が２つの役割を持つので、スイッチング電源装置２００が入力する外部信号の数は少なくなる。これにより、スイッチング電源装置２００の外部信号入力端子数が少なくなり、小型化を図ることができる。
【００４０】
また、スイッチング電源装置２００は電圧検出回路１６を半導体集積回路１００に内蔵している。電圧検出回路１６によって異常昇圧が検出されると制御回路１２がトランジスタ３のオン／オフ制御を停止するので、液晶バックライト用ＬＥＤ６、６’の実装不良などのオープンループ状態時に起こる異常昇圧による回路破壊を防止することができる。図６に示した従来のスイッチング電源装置２０２では半導体集積回路装置に外付けするツェナーダイオードによって異常昇圧を防止していたが、本発明では電圧検出回路１６が半導体集積回路装置１００の内部に設けられるので、小型化を図ることができる。
【００４１】
上述したスイッチング電源装置２００は複数の液晶表示装置を備える電気機器に適用することができる。ここでは、携帯電話装置に例に挙げて説明する。スイッチング電源装置２００を備えた携帯電話装置の斜視図を図３に示す。
【００４２】
図３の携帯電話装置は、筐体３０１と筐体３０２とがヒンジ３０３によって互いに折り畳み可能な折り畳み構造の携帯電話装置である。筐体３０１は、アンテナ３０４と、スピーカ３０５と、液晶表示装置３０６を備えている。筐体２は、キー操作部３０７と、マイクロホン３０８を備えている。
【００４３】
図３の携帯電話装置の折り畳んだ状態での斜視図を図４に示す。なお、図４において図３と同一の部分には同一の符号を付す。筐体３０１は、折り畳んだ状態でユーザが視認できる位置に液晶表示装置３０９を備えている。
【００４４】
続いて図３の携帯電話装置の電気的構成を図５に示す。なお、図５において図１、図３、及び図４と同一の部分には同一の符号を付す。筐体３０１（図３参照）に内蔵されている送受信回路３１０は、キー操作部３０７から送出される信号に応じて送受信を行う。送信時は、マイクロホン３０８から送出される音声信号が、筐体３０１（または筐体３０２でも良い）（図３参照）に内蔵されている信号処理回路３１１によって変調され、送受信回路３１０によって周波数変換されて送信高周波信号となり、アンテナ３０４から出力される。一方、受信時は、アンテナ３０４が入力した受信高周波信号信号が、送受信回路３１０によって周波数変換され、信号処理回路３１１によって復調されて音声信号となり、スピーカ３０５に入力される。
【００４５】
筐体３０２（または筐体３０１でも良い）（図３参照）に内蔵されている制御回路３１２は、送受信回路３１０から受信電界強度や着信の情報を受け取り、キー操作部３０７から制御信号を受け取り、リードスイッチ３１３から携帯電話装置が折り畳まれた状態であるか否かの情報を受け取り、バッテリ（図示せず）からバッテリ電圧の情報を受け取る。
【００４６】
リードスイッチ３１３は筐体３０１（図３参照）の内部に設けられる。さらに、筐体３０２（図３参照）の内部であって、携帯電話装置が折り畳まれた状態でリードスイッチ３１３に対向する位置に磁石が設けられる。これにより、リードスイッチ３１３は、携帯電話装置が折り畳まれた状態であるか否かを認識することができる。
【００４７】
制御回路３１２はスイッチング電源装置２００にイネーブル信号ＥＮ１、ＥＮ２を出力する。スイッチング電源装置２００は、液晶表示装置３０６のバックライトとして用いられるＬＥＤ６及び液晶表示装置３０９のバックライトとして用いられるＬＥＤ６’の電源である。また、制御回路３１２は、液晶表示装置３０６、３０９に駆動信号を出力し、必要な情報（受信電界強度、バッテリ電圧、着信等の情報）を液晶表示装置３０６、３０９に表示させる。また、制御回路３１２は、液晶表示装置３０６に設定変更画面等も表示させる。
【００４８】
携帯電話装置の主電源がオフであるとき、制御回路１２は、イネーブル信号ＥＮ１、ＥＮ２をＬｏｗレベルにする。これにより、液晶表示装置３０６、３０９ともにバックライトが点灯しない状態（オフ状態）となる。
【００４９】
携帯電話装置の主電源がオン状態であって携帯電話装置が折り畳み状態でないとき、制御回路１２は、イネーブル信号ＥＮ１をＨｉｇｈレベル、イネーブル信号ＥＮ２をＬｏｗレベルにする。これにより、液晶表示装置３０６はバックライトが点灯する状態（オン状態）となり、液晶表示装置３０９はバックライトが点灯しない状態（オフ状態）となる。携帯電話装置が折り畳み状態でない場合においてユーザが通常利用しない液晶表示装置３０９をオフ状態にしているので、省電力化を図ることができる。
【００５０】
ただし、携帯電話装置の主電源がオン状態であって携帯電話装置が折り畳み状態でないときであっても、キー操作部３０７により液晶表示装置３０９の表示内容の設定等が行われる場合は、制御回路１２は、イネーブル信号ＥＮ１をＨｉｇｈレベル、イネーブル信号ＥＮ２をＨｉｇｈレベルにする。これにより、液晶表示装置３０６、３０９ともにバックライトが点灯する状態（オン状態）となる。これにより、液晶表示装置３０９の表示内容の設定等を行う場合においてバックライトが点灯する液晶表示装置を適宜切り替える必要がなくなり、利便性が向上する。
【００５１】
携帯電話装置の主電源がオン状態であって携帯電話装置が折り畳み状態であるとき、制御回路１２は、イネーブル信号ＥＮ１をＬｏｗレベル、イネーブル信号ＥＮ２をＨｉｇｈレベルにする。これにより、液晶表示装置３０６はバックライトが点灯しない状態（オフ状態）となり、液晶表示装置３０９はバックライトが点灯する状態（オン状態）となる。携帯電話装置が折り畳み状態である場合において、ユーザが視認できない液晶表示装置３０６をオフ状態にしているので、省電力化を図ることができる。また、折り畳み状態で一定時間操作が無い場合には液晶表示装置３０９は表示を行うがバックライトは消灯させることでさらなる省電力化を図ることができる。
【００５２】
なお、上述した実施形態では液晶バックライト用ＬＥＤは２系統であったが、本発明はこれに限定されることはなく、３系統以上あってもよい。ここでは、３系統の液晶バックライト用ＬＥＤに適用することができるスイッチング電源装置について説明する。３系統の液晶バックライト用ＬＥＤに適用することができるスイッチング電源装置の一構成例を図２に示す。なお、図２において図１と同一の部分には同一の符号を付し、詳細な説明を省略する。
【００５３】
図２のスイッチング電源装置は、図１のスイッチング電源装置にスイッチ２１を付加し、ＮＯＴ回路２０をＮＯＴ回路２０’に置き換えた構成である。したがって、図４のスイッチング電源装置が備える半導体集積回路装置１０１は、図１のスイッチング電源装置が備える半導体集積回路１００内のＮＯＴ回路２０をＮＯＴ回路２０’に置き換え、さらにスイッチ２１を付加した構成である。
【００５４】
第３イネーブル信号ＥＮ３がＮＯＴ回路２１’とスイッチ２１に入力される。また、スイッチ１８のＬ端とスイッチ１９のＬ端とはスイッチ２１を介して接続される。スイッチ２１は、第３イネーブル信号ＥＮ３がＨｉｇｈレベルのときに開成状態となり、第３イネーブル信号ＥＮ３がＬｏｗレベルのときに閉成状態となる。
【００５５】
そして、液晶バックライト用ＬＥＤ６と液晶バックライト用ＬＥＤ６’とが液晶バックライト用ＬＥＤ６’’を介して接続される。すなわち、液晶バックライト用ＬＥＤ６のカソード側に液晶バックライト用ＬＥＤ６’’のアノード側が接続され、液晶バックライト用ＬＥＤ６’のアノード側に液晶バックライト用ＬＥＤ６’’のカソード側が接続される。
【００５６】
スイッチ１８のＬ端とスイッチ２１との接続ノードに液晶バックライト用ＬＥＤ６のカソード側及び液晶バックライト用ＬＥＤ６’’のアノード側が接続され、スイッチ１９のＬ端とスイッチ２１との接続ノードに液晶バックライト用ＬＥＤ６’のアノード側及び液晶バックライト用ＬＥＤ６’’のカソード側が接続される。
【００５７】
続いて、スイッチング電源装置２０１の動作について説明する。まず、イネーブル信号ＥＮ１、ＥＮ２、ＥＮ３が全てＨｉｇｈレベルのときの動作について説明する。イネーブル信号ＥＮ１がＨｉｇｈレベルであるので、スイッチ１８のＡ端とＨ端とが接続される。また、イネーブル信号ＥＮ２がＨｉｇｈレベルであるので、スイッチ１９のＡ端とＨ端とが接続される。また、イネーブル信号ＥＮ３がＨｉｇｈレベルであるので、スイッチ２１は開成状態である。したがって、スイッチ１７がスイッチ１８を介して液晶バックライト用ＬＥＤ６のアノード側に接続され、液晶バックライト用ＬＥＤ６のカソード側が液晶バックライト用ＬＥＤ６’’のアノード側に接続され、液晶バックライト用ＬＥＤ６’’のカソード側が液晶バックライト用ＬＥＤ６’のアノード側に接続され、液晶バックライト用ＬＥＤ６’のカソード側がスイッチ１９を介して抵抗Ｒ８の一端と誤差増幅器９の正相入力側に接続される。すなわち、液晶バックライト用ＬＥＤ６と液晶バックライト用ＬＥＤ６’’と液晶バックライト用ＬＥＤ６’がスイッチング電源装置２０１に直列接続されることになる。これにより、液晶バックライト用ＬＥＤ６と液晶バックライト用ＬＥＤ６’’と液晶バックライト用ＬＥＤ６’とに同一の定電流が流れて、液晶バックライト用ＬＥＤ６と液晶バックライト用ＬＥＤ６’’と液晶バックライト用ＬＥＤ６’とがオン状態になる。
【００５８】
続いて、イネーブル信号ＥＮ１、ＥＮ２がＨｉｇｈレベル、イネーブル信号ＥＮ３がＬｏｗレベルのときの動作について説明する。イネーブル信号ＥＮ１がＨｉｇｈレベルであるので、スイッチ１８のＡ端とＨ端とが接続される。また、イネーブル信号ＥＮ２がＨｉｇｈレベルであるので、スイッチ１９のＡ端とＨ端とが接続される。また、イネーブル信号ＥＮ３がＬｏｗレベルであるので、スイッチ２１は閉成状態である。したがって、スイッチ１７がスイッチ１８を介して液晶バックライト用ＬＥＤ６のアノード側に接続され、液晶バックライト用ＬＥＤ６のカソード側がスイッチ２１を介して液晶バックライト用ＬＥＤ６’のアノード側に接続され、液晶バックライト用ＬＥＤ６’のカソード側がスイッチ１９を介して抵抗Ｒ８の一端と誤差増幅器９の正相入力側に接続される。また、液晶バックライト用ＬＥＤ６’’が短絡する。すなわち、液晶バックライト用ＬＥＤ６と液晶バックライト用ＬＥＤ６’とがスイッチング電源装置２０１に直列接続されることになる。これにより、液晶バックライト用ＬＥＤ６と液晶バックライト用ＬＥＤ６’とに同一の定電流が流れて、液晶バックライト用ＬＥＤ６と液晶バックライト用ＬＥＤ６’とがオン状態になり、液晶バックライト用ＬＥＤ６’’がオフ状態になる。
【００５９】
続いて、イネーブル信号ＥＮ２、ＥＮ３がＨｉｇｈレベル、イネーブル信号ＥＮ１がＬｏｗレベルのときの動作について説明する。イネーブル信号ＥＮ１がＬｏｗレベルであるので、スイッチ１８のＡ端とＬ端とが接続される。また、イネーブル信号ＥＮ２がＨｉｇｈレベルであるので、スイッチ１９のＡ端とＨ端とが接続される。また、イネーブル信号ＥＮ３がＨｉｇｈレベルであるので、スイッチ２１は開成状態である。したがって、スイッチ１７がスイッチ１８を介して液晶バックライト用ＬＥＤ６’’のアノード側に接続され、液晶バックライト用ＬＥＤ６’’のカソード側が液晶バックライト用ＬＥＤ６’のアノード側に接続され、液晶バックライト用ＬＥＤ６’のカソード側がスイッチ１９を介して抵抗Ｒ８の一端と誤差増幅器９の正相入力側に接続される。すなわち、液晶バックライト用ＬＥＤ６’と液晶バックライト用ＬＥＤ６’’とがスイッチング電源装置２０１に直列接続されることになる。これにより、液晶バックライト用ＬＥＤ６’と液晶バックライト用ＬＥＤ６’’とに同一の定電流が流れて、液晶バックライト用ＬＥＤ６’と液晶バックライト用ＬＥＤ６’’とがオン状態になり、液晶バックライト用ＬＥＤ６がオフ状態になる。
【００６０】
続いて、イネーブル信号ＥＮ１、ＥＮ３がＨｉｇｈレベル、イネーブル信号ＥＮ２がＬｏｗレベルのときの動作について説明する。イネーブル信号ＥＮ１がＨｉｇｈレベルであるので、スイッチ１８のＡ端とＨ端とが接続される。また、イネーブル信号ＥＮ２がＬｏｗレベルであるので、スイッチ１９のＡ端とＬ端とが接続される。また、イネーブル信号ＥＮ３がＨｉｇｈレベルであるので、スイッチ２１は開成状態である。したがって、スイッチ１７がスイッチ１８を介して液晶バックライト用ＬＥＤ６のアノード側に接続され、液晶バックライト用ＬＥＤ６のカソード側が液晶バックライト用ＬＥＤ６’’のアノード側に接続され、液晶バックライト用ＬＥＤ６’’のカソード側がスイッチ１９を介して抵抗Ｒ８の一端と誤差増幅器９の正相入力側に接続される。すなわち、液晶バックライト用ＬＥＤ６と液晶バックライト用ＬＥＤ６’’とがスイッチング電源装置２０１に直列接続されることになる。これにより、液晶バックライト用ＬＥＤ６と液晶バックライト用ＬＥＤ６’’とに同一の定電流が流れて、液晶バックライト用ＬＥＤ６と液晶バックライト用ＬＥＤ６’’とがオン状態になり、液晶バックライト用ＬＥＤ６’がオフ状態になる。
【００６１】
続いて、イネーブル信号ＥＮ１がＨｉｇｈレベル、イネーブル信号ＥＮ２、ＥＮ３がＬｏｗレベルのときの動作について説明する。イネーブル信号ＥＮ１がＨｉｇｈレベルであるので、スイッチ１８のＡ端とＨ端とが接続される。また、イネーブル信号ＥＮ２がＬｏｗレベルであるので、スイッチ１９のＡ端とＬ端とが接続される。また、イネーブル信号ＥＮ３がＬｏｗレベルであるので、スイッチ２１は閉成状態である。したがって、スイッチ１７がスイッチ１８を介して液晶バックライト用ＬＥＤ６のアノード側に接続され、液晶バックライト用ＬＥＤ６のカソード側がスイッチ２１及びスイッチ１９を介して抵抗Ｒ８の一端と誤差増幅器９の正相入力側に接続される。また、液晶バックライト用ＬＥＤ６’’が短絡する。すなわち、液晶バックライト用ＬＥＤ６のみにスイッチング電源装置２０１から定電流が供給されることになる。これにより、液晶バックライト用ＬＥＤ６がオン状態になり、液晶バックライト用ＬＥＤ６’、６’’がオフ状態になる。
【００６２】
続いて、イネーブル信号ＥＮ２がＨｉｇｈレベル、イネーブル信号ＥＮ１、ＥＮ３がＬｏｗレベルのときの動作について説明する。イネーブル信号ＥＮ１がＬｏｗレベルであるので、スイッチ１８のＡ端とＬ端とが接続される。また、イネーブル信号ＥＮ２がＨｉｇｈレベルであるので、スイッチ１９のＡ端とＨ端とが接続される。また、イネーブル信号ＥＮ３がＬｏｗレベルであるので、スイッチ２１は閉成状態である。したがって、スイッチ１７がスイッチ１８、スイッチ２１を介して液晶バックライト用ＬＥＤ６’のアノード側に接続され、液晶バックライト用ＬＥＤ６’のカソード側がスイッチ１９を介して抵抗Ｒ８の一端と誤差増幅器９の正相入力側に接続される。また、液晶バックライト用ＬＥＤ６’’が短絡する。すなわち、液晶バックライト用ＬＥＤ６’のみにスイッチング電源装置２０１から定電流が供給されることになる。これにより、液晶バックライト用ＬＥＤ６’がオン状態になり、液晶バックライト用ＬＥＤ６、６’’がオフ状態になる。
【００６３】
続いて、イネーブル信号ＥＮ３がＨｉｇｈレベル、イネーブル信号ＥＮ１、ＥＮ２がＬｏｗレベルのときの動作について説明する。イネーブル信号ＥＮ１がＬｏｗレベルであるので、スイッチ１８のＡ端とＬ端とが接続される。また、イネーブル信号ＥＮ２がＬｏｗレベルであるので、スイッチ１９のＡ端とＬ端とが接続される。また、イネーブル信号ＥＮ３がＨｉｇｈレベルであるので、スイッチ２１は開成状態である。したがって、スイッチ１７がスイッチ１８を介して液晶バックライト用ＬＥＤ６’’のアノード側に接続され、液晶バックライト用ＬＥＤ６’’のカソード側がスイッチ１９を介して抵抗Ｒ８の一端と誤差増幅器９の正相入力側に接続される。すなわち、液晶バックライト用ＬＥＤ６’’のみにスイッチング電源装置２０１から定電流が供給されることになる。これにより、液晶バックライト用ＬＥＤ６’’がオン状態になり、液晶バックライト用ＬＥＤ６、６’がオフ状態になる。
【００６４】
最後に、イネーブル信号ＥＮ１、ＥＮ２、ＥＮ３がともにＬｏｗレベルのときの動作について説明する。イネーブル信号ＥＮ１がＬｏｗレベルであるので、スイッチ１８のＡ端とＬ端とが接続される。また、イネーブル信号ＥＮ２がＬｏｗレベルであるので、スイッチ１９のＡ端とＬ端とが接続される。また、イネーブル信号ＥＮ３がＬｏｗレベルであるので、スイッチ２１は閉成状態である。したがって、スイッチ１７がスイッチ１８、スイッチ２１、及びスイッチ１９を介して抵抗Ｒ８の一端と誤差増幅器９の正相入力側に接続される。また、液晶バックライト用ＬＥＤ６’’が短絡する。すなわち、液晶バックライト用ＬＥＤ６、液晶バックライト用ＬＥＤ６’’、及び液晶バックライト用ＬＥＤ６’にスイッチング電源装置２０１から定電流が供給されない。これにより、液晶バックライト用ＬＥＤ６、液晶バックライト用ＬＥＤ６’’、及び液晶バックライト用ＬＥＤ６’がオフ状態になる。
【００６５】
そして、イネーブル信号ＥＮ１、ＥＮ２、ＥＮ３が全てＬｏｗレベルのときはＯＲ回路２０’の出力信号がＬｏｗレベルになる。ＯＲ回路２０’の出力信号がＬｏｗレベルになると、制御回路１２はスイッチング制御を停止し、スイッチ１７は開成状態になる。これにより、コイル１、ショットキーダイオード２、スイッ１７、スイッチ１８、スイッチ２１、スイッチ１９、抵抗８を通って流れる無効電流をなくすことができる。
【００６６】
【発明の効果】
上記で説明した通り本発明に係るスイッチング電源装置は、各々液晶表示装置のバックライトとして用いられるｎ（ｎは２以上の自然数）系統のＬＥＤに接続され、スイッチング手段のオン／オフ期間の比率を可変して外部から供給された入力電圧を変圧して出力電圧を生成し、該出力電圧を出力端から出力するＤＣ−ＤＣコンバータと、帰還電流入力端から入力される帰還電流が定電流になるように、前記帰還電流に基づいて作成したパルス信号によって前記スイッチング手段のオン／オフ期間の比率を制御する制御手段と、外部制御信号に応じて前記ｎ系統のＬＥＤの中から電力を供給するＬＥＤを選択し、前記電力を供給するＬＥＤが一系統である場合は前記外部制御信号に応じて選択された一系統のＬＥＤのアノード側が前記出力端に接続され、前記外部制御信号に応じて選択された一系統のＬＥＤのカソード側が前記帰還電流入力端に接続されるように前記ｎ系統のＬＥＤに対する接続状態を切り替え、前記電力を供給するＬＥＤが複数系統である場合は外部制御信号に応じて選択された複数系統のＬＥＤを直列接続し、前記外部制御信号に応じて選択された複数系統のＬＥＤから成る直列接続体のアノード側が前記出力端に接続され、前記外部制御信号に応じて選択された複数系統のＬＥＤから成る直列接続体のカソード側が前記帰還電流入力端に接続されるように、前記ｎ系統のＬＥＤに対する接続状態を切り替える切替手段と、を備え、前記ｎ系統のＬＥＤの各系統全てが、前記電力を供給するＬＥＤが一系統である場合の選択対象である構成としている。
【００６７】
このような構成にすることにより、ｎ系統の液晶バックライト用ＬＥＤから前記外部制御信号に応じて選択された一部又は全部のＬＥＤのみを同じ電流値で定電流制御してオンすることができる。
【００６８】
また、本発明によると、前記制御手段が前記帰還電流の定電流値の設定を調整する定電流調整手段を備え、前記スイッチング手段と、前記切替手段と、前記制御手段のうち前記定電流調整手段以外の部分とが半導体集積回路装置に設けられるので、小型化を図ることができる。
【００６９】
また、本発明によると、前記ＤＣ−ＤＣコンバータの出力電圧を検出し、前記ＤＣ−ＤＣコンバータの出力電圧が所定値以上のときは前記スイッチング手段のオン／オフ動作を停止させる電圧検出手段が前記半導体集積回路装置に設けられるので、電力を供給するＬＥＤの実装不良などのオープンループ状態時に起こる異常昇圧による回路破壊を防止することができる。これにより、安全性の高いスイッチング電源装置を実現することができる。
【００７０】
また、本発明によると、前記制御手段が、前記切替手段の選択状態を検出し、前記切替手段が前記外部制御信号に応じて前記ｎ系統のＬＥＤの中から電力を供給するＬＥＤを一つも選択しないときは前記スイッチング手段のオン／オフ動作を停止させるので、電力を供給するＬＥＤを一つも選択しないときに無効電流が流れることを防止することができる。これにより、省電力化を図ることができる。
【００７１】
また、本発明によると、前記制御手段が、前記外部制御信号に応じて前記スイッチング手段のオン／オフ動作を停止させるので、前記外部制御信号は前記切替手段を制御する信号であるとともにスイッチング電源装置の有効／無効を切り替える信号でもある。このように、前記外部制御信号が２つの役割を持つので、スイッチング電源装置が入力する外部信号の数が少なくなる。これにより、スイッチング電源装置の外部信号入力端子数が少なくなり、小型化を図ることができる。
【００７２】
また、本発明によると、２系統の場合、前記切替手段を２つのスイッチで実現するので、前記切替手段を簡易な構成にすることができる。
【００７３】
また、本発明によると、電気機器は、ｎ（ｎは二以上の自然数）個の液晶表示装置と、前記液晶表示装置のバックライトとして用いられるｎ（ｎは２以上の自然数）系統のＬＥＤに接続され、そのｎ系統の液晶バックライト用ＬＥＤから選択された一部又は全部のＬＥＤのみを同じ電流値で定電流制御してオンすることができるスイッチング電源装置と、を備えるので、様々な使用状況においてオンにする必要がある液晶表示装置のみをオン状態にすることができる。これにより、省電力化を図ることができる。また、オンにする必要がある液晶表示装置が複数である場合でも同一の定電流でオン状態することができるので、設定できる使用状況が増加し利便性が向上する。また、オンにする必要がある液晶表示装置が複数である場合でも複数のスイッチング電源装置を設けなくてすむので、電気機器の小型化及び低コスト化を図ることができる。このため、本発明は、省電力化や小型化の要望が高い携帯電話装置に好適である。
【図面の簡単な説明】
【図１】    本発明に係るスイッチング電源装置の構成を示す図である。
【図２】    本発明に係るスイッチング電源装置の他の構成を示す図である。
【図３】    図１のスイッチング電源装置を備えた携帯電話装置の斜視図である。
【図４】    図１のスイッチング電源装置を備えた携帯電話装置の折り畳み状態での斜視図である。
【図５】    図３の携帯電話装置の電気的構成を示す図である。
【図６】    従来のスイッチング電源装置の構成を示す図である。
【図７】    従来のスイッチング電源装置の他の構成を示す図である。
【符号の説明】
１    コイル
２    ショットキーダイオード
３    トランジスタ
４    コンデンサ
６、６’、６’’    液晶表示装置のバックライトとして用いられるＬＥＤ
８、１１    抵抗
９    誤差増幅器
１０    可変抵抗
１２    制御回路
１６    電圧検出回路
１７、１８、１９    スイッチ
２０、２０’    ＮＯＴ回路
１００、１０１    半導体集積回路装置
２００、２０１    スイッチング電源装置
３０６、３０９    液晶表示装置
【図１】
0003827004.tif 000002
【図２】
0003827004.tif 000003
【図３】
0003827004.tif 000004
【図４】
0003827004.tif 000005
【図５】
0003827004.tif 000006
【図６】
0003827004.tif 000007
【図７】
0003827004.tif 000008